(57)【特許請求の範囲】
【請求項１】
単相三線式交流電源の２つの電圧線及び１つの中性線を入力側に接続すると共に、負荷に接続される２つの負荷線を出力側に接続する回路遮断器と、この回路遮断器の入力側に送り線を介して入力側が電気的に接続される主幹開閉器と、この主幹開閉器の出力側に電気的に接続される分岐開閉器と、を備えて成る住宅用分電盤。
【請求項２】
前記主幹開閉器の前段で前記送り線に入力側が接続されると共に主幹開閉器に出力側が電気的に接続される電流制限器を配設して成る請求項１記載の住宅用分電盤。
【請求項３】
前記回路遮断器の入力側に端子カバーを被せ、この端子カバーを封印して成る請求項２記載の住宅用分電盤。
【請求項４】
前記回路遮断器は、単相三線式交流電源の２つの電圧線と１つの中性線とを接続する３つの入力端子と、これらの３つの入力端子にハンドルで開閉駆動される接点を介して電気的に接続された３つの出力端子と、これら３つの出力端子のうちの１つを接続不可能に塞ぐ蓋部材と、を有して成る請求項１乃至請求項３のいずれかに記載の住宅用分電盤。
【請求項５】
前記回路遮断器は、単相三線式交流電源の２つの電圧線と１つの中性線とを接続する３つの入力端子と、これらの３つの入力端子のうちの２つのみにハンドルで開閉駆動される接点を介して電気的に接続される出力端子と、を有して成る請求項１乃至請求項３のいずれかに記載の住宅用分電盤。
【発明の詳細な説明】
【０００１】
【発明の属する技術分野】
本発明は、単相三線式交流電源に電気的に接続される主幹開閉器に対して並列に電気的に接続される回路遮断器を有した住宅用分電盤に関する。
【０００２】
【従来の技術】
近年、ガスを使用せずに電気でお湯を沸かす電気温水器が一般家庭に使用されている。この電気温水器は容量が大きいので主幹開閉器の出力側、つまり通常の分岐開閉器に接続すると、主幹開閉器が過電流トリップしてしまい、他の分岐開閉器に接続される負荷まで影響を与えることとなる。
【０００３】
また、集合住宅やマンション等においては、各需要家内に設けられた火災報知器や消化設備等の非常用機器に電気を供給するための非常用の電源を取ることがあるが、主幹開閉器の出力側、つまり通常の分岐開閉器に接続すると、主幹開閉器が過電流や短絡電流等の異常電流によりトリップしたときに非常用機器に電源が供給できない。
【０００４】
このため、電気温水機等のような大容量の負荷に電気を供給する場合や非常用機器に電気を供給する場合、単相三線式交流電源に電気的に接続される主幹開閉器に対して並列に電気的に接続される回路遮断器を設け、この回路遮断器に大容量の負荷や非常用の負荷を接続することが行われている。
【０００５】
主幹開閉器と回路遮断器とに単相三線式交流電源を電気的に接続するには、住宅用分電盤内に端子台を配設し、この端子台に単相三線式交流電源を一旦接続し、この端子台から第１の送り線を介して主幹開閉器に電気的に接続するとともに、第２の送り線を介して回路遮断器に電気的に接続する第１の方法と、単相三線式交流電源を主幹開閉器の入力側に電気的に接続するとともに、この主幹開閉器の入力側から送り線を介して回路遮断器に電気的に接続する第２の方法とがある。なお、電力会社によっては、主幹開閉器の前段に電流制限器（リミッタ）を配設することもあるが、第１の方法では第１の送り線を電流制限器の入力端子に接続し、第２の方法では単相三線式交流電源と送り線とを電流制限器の入力端子に接続することより、主幹開閉器の入力側に電気的に接続されることとなる。
【０００６】
【発明が解決しようとする課題】
上述した従来例のうち、住宅用分電盤内に端子台を配設し、この端子台から主幹開閉器及び回路遮断器に電気的に接続する第１の方法にあっては、端子台という余分な部材が必要であり、また２つの送り線を配設する必要があるので、住宅用分電盤自体が大型化してしまうという問題があった。
【０００７】
また、単相三線式交流電源を主幹開閉器の入力側に電気的に接続するとともに、この主幹開閉器の入力側から送り線を介して回路遮断器に電気的に接続する第２の方法にあっては、主幹開閉器の入力側に単相三線式交流電源用の電線導体と送り線とを接続する必要がある。この場合、主幹開閉器（電流制限器）を取り替えるときに、２つの電線導体を主幹開閉器（電流制限器）の入力側から外したり接続したりする必要があり、主幹開閉器の取替作業が困難であった。
【０００８】
本発明は、かかる事由に鑑みて成されたものであり、その目的とするところは、小型化が図れるとともに主幹開閉器（電流制限器）の取替作業が容易に行える住宅用分電盤を提供することにある。
【０００９】
【課題を解決するための手段】
かかる課題を解決するために、請求項１記載の住宅用分電盤は、単相三線式交流電源の２つの電圧線及び１つの中性線を入力側に接続すると共に、負荷に接続される２つの負荷線を出力側に接続する回路遮断器と、この回路遮断器の入力側に送り線を介して電気的に接続される主幹開閉器と、この主幹開閉器に電気的に接続される分岐開閉器と、を備えた構成としてある。
【００１０】
請求項２記載の住宅用分電盤は、請求項１のものの主幹開閉器の前段で前記送り線に入力側が接続されると共に出力側が主幹開閉器に接続される電流制限器を配設した構成としてある。
【００１１】
請求項３記載の住宅用分電盤は、請求項２のものの回路遮断器の入力側に端子カバーを被せ、この端子カバーを封印した構成としてある。
【００１２】
請求項４記載の住宅用分電盤は、請求項１乃至３のいずれかに記載の回路遮断器は、単相三線式交流電源の２つの電圧線と１つの中性線とを接続する３つの入力端子と、これらの３つの入力端子にハンドルで開閉駆動される接点を介して電気的に接続された３つの出力端子と、これら３つの出力端子のうちの１つを接続不可能に塞ぐ蓋部材と、を有した構成としてある。
【００１３】
請求項５記載の住宅用分電盤は、請求項１乃至請求項３のいずれかに記載の回路遮断器は、単相三線式交流電源の２つの電圧線と１つの中性線とを接続する３つの入力端子と、これらの３つの入力端子のうちの２つのみにハンドルで開閉駆動される接点を介して電気的に接続される出力端子と、を有した構成としてある。
【００１４】
【発明の実施の形態】
以下、本発明の第１の実施の形態を図１乃至図４に基づいて説明する。この住宅用分電盤は、図１に示すように、単相三線式交流電源（両電圧線間２００Ｖ，  １つの電圧線及び中性線間１００Ｖ）の２つの電圧線  １，２及び１つの中性線  ３を入力側  ４に接続すると共に、負荷に接続される２つの負荷線  ５，６（図４参照）を出力側  ７に接続する回路遮断器  ８と、この回路遮断器  ８の入力側  ４に送り線  ９を介して入力側１０が電気的に接続される主幹開閉器１１と、この主幹開閉器１１の出力側１２に電気的に接続される分岐開閉器１３とを備えているものである。
【００１５】
回路遮断器  ８は、この種で公知の三極用のものが用いられ、図２に示すように、単相三線式交流電源の２つの電圧線  １，２と１つの中性線  ３とを接続する入力側  ４である３つの入力端子４ａ，４ｂ，４ｃと、これら３つの入力端子４ａ，４ｂ，４ｃにハンドル１４で開閉駆動される接点１５，１５，１５（図４参照）を介して電気的に接続された出力側  ４である３つの出力端子７ａ，７ｂ，７ｃと、これら３つの出力端子７ａ，７ｂ，７ｃのうちの１つを接続不可能に塞ぐ蓋部材１６とを備えている。
【００１６】
この回路遮断器  ８は、接点１５，１５，１５をハンドル１４の操作により開閉・トリップ機構１７を介して開閉操作すると共に、両側の接点  １５，１５が閉極状態で異常電流が流れると両側の入出力端子間に介在する異常電流検出装置  １８，１８で検出して開閉・トリップ機構１７を作用させて接点１５，１５，１５を強制開極する。また、この回路遮断器  ８のハウジングは、図３に示すように、上部開口で各部品が内部に収納されるとともに両側に隔壁２０を形成して三極分の入出力端子を配設するボディａと、このボディａの開口を塞ぐカバーｂとにより構成され、両側に入力端子４ａ，４ｂ，４ｃと出力端子７ａ，７ｂ，７ｃとが配設される。
【００１７】
中央の出力端子７ｃは、端子螺子が外される代わりに蓋部材１６が配設され、中央の出力端子７ｃを塞ぐことができるようになっている。この蓋部材１６は、合成樹脂等の絶縁性材料により形成され、接着材を塗った状態で隔壁２０に形成したスリット  ２０ａに差し込まれるので、両側の出力端子  ７ａ，７ｂに負荷線  ５，６を接続することとなり、２００Ｖの交流電源が供給されることとなる。これにより、回路遮断器  ８に負荷線  ５，６を接続するための出力端子  ７ａ，７ｂを間違えることが無くなり、回路遮断器  ８に負荷線  ５，６を接続する作業が容易となる。
【００１８】
主幹開閉器１１は、図１に示すように、一端側が回路遮断器  ８の入力側  ４に接続された送り線  ９（９ａ，９ｂ，９ｃ）の他端側を入力側１０に接続し、出力側１２を複数の送りバー（図示せず）及び主幹バー（図示せず）を介して分岐開閉器１３に接続するものであり、単相三線式交流電源の電圧線  １，２及び中性線  ３を接続した回路遮断器  ８の入力側  ４である３つの入力端子４ａ，４ｂ，４ｃから送り線  ９（９ａ，９ｂ，９ｃ）を介して接続しているので、主幹開閉器１１を取り替えるときには、入力側１０においては送り線  ９（９ａ，９ｂ，９ｃ）のみ外したり接続したりするだけで行え、主幹開閉器１１の取替作業が容易に行えるようになっている。
【００１９】
分岐開閉器１３は、図１に示すように、主幹開閉器１１に対して横並びに複数個並設され、入力側をバーに接続して主幹開閉器１１との電気的接続を行うと共に、出力側を回路遮断器  ８に接続される特別な負荷以外の通常負荷に接続する。なお、図１において、２１は主幹開閉器１１の出力側１２を覆うとともに送りバーを収納する略Ｌ字状の送りバー保持部材であり、２２は送りバーに接続される主幹バーと分岐開閉器１３の入力側を塞ぐバーカバーである。
【００２０】
この実施の形態によれば、回路遮断器  ８の入力側  ４である３つの入力端子  ４ａ，４ｂ，４ｃ  に、単相三線式交流電源の２つの電圧線  １，２と１つの中性線  ３とを直接接続すると共に、主幹開閉器１１の入力側１０に電気的に接続される送り線  ９（９ａ，９ｂ，９ｃ）を直接接続することができ、端子台が不必要となるとともに１組の送り線  ９のみで接続可能となり、小型化が図れる。
【００２１】
なお、本第１の実施の形態によれば、中央の出力端子７ｃを塞いでいるが、その他の１つの出力端子を塞ぐものであっても良い。この場合、単相三線式交流電源の中性線  ３に電気的に接続された中央の出力端子７ｃが接続可能となるので、１００Ｖの電源が取れることとなる。また、蓋部材１６を隔壁２０に形成したスリット２０ａ  に差し込むようにしているが、直接出力端子７ｃに貼り付ける等、出力端子７ａ，７ｂ，７ｃのうちの１つを負荷線が接続不可能に塞げばよい。
【００２２】
次に、本発明の第２の実施の形態を図５乃至図７に基づいて説明する。なお、第１の実施の形態と基本的機能が同様な部材には同じ符号を付している。
【００２３】
この住宅用分電盤は、第１の実施の形態との相違点は主幹開閉器１１の前段に電流制限器２５を配設したことと、回路遮断器  ８の入力側  ４に端子カバー２６を配設したことであり、以下これについて説明する。
【００２４】
電流制限器２５は、主幹開閉器１１の前段で回路遮断器  ８の入力端子４ａ，４ｂ，４ｃに接続された送り線    ９（９ａ，９ｂ，９ｃ）に入力側２７が接続されると共に、出力側２８が電線導体２９を介して主幹開閉器１１の入力側１０に接続されている。このため、回路遮断器  ８の入力側  ４に、単相三線式交流電源の２つの電圧線  １，２と１つの中性線  ３とを直接接続すると共に、電流制限器２５の入力側２７に電気的に接続される送り線  ９（９ａ，９ｂ，９ｃ）を直接接続することができ、端子台が不必要となるとともに１組の送り線  ９のみで接続可能となり、小型化が図れる。また、電流制限器２５を取り替えるときには、入力側２７においては送り線  ９（９ａ，９ｂ，９ｃ）のみ外したり接続したりするだけで行え、電流制限器２５の取替作業が容易に行える。この電流制限器２５の入力側２７及び出力側２８は、それぞれ送り線  ９や電線導体２９が接続された後に封印部材  ３０，３０にて封印され、需要者が勝手に電流制限器２５を外せれないようにして、契約電流以上の電流を使用できないようにしている。
【００２５】
端子カバー２６は、回路遮断器  ８の入力側  ４である入力端子４ａ，４ｂ，４ｃに単相三線式交流電源の２本の電圧線  １，２及び１本の中性線  ３を接続するとともに、電流制限器２５の入力側２７に接続される送り線  ９（９ａ，９ｂ，９ｃ）を接続した状態で、回路遮断器  ８の入力側  ４に被せられるとともに封印され、回路遮断器  ８の入力側  ４に他の電線導体が接続不可能となり、契約外の電気の使用を防ぐことができる。
【００２６】
この端子カバー２６は、実開平４−１２３０２４号に示すものであり、図６に示すように、回路遮断器  ８の上面を覆う水平片３１と回路遮断器  ８の一側面を覆う外部導体の出入開口を形成した垂直片３２とで略Ｌ字状に形成されている。垂直片３２の両側縁は水平片２１側に曲込まれて内側に上下方向の突起３３が形成され、回路遮断器  ８の嵌入部３４に上方から嵌入されて回路遮断器  ８に装着される。さらに、垂直片３２には、上方から切溝３５を形成して、下方が固定で上方が可動とする立上片３６が形成され、さらにこの立上片３６には、内側に突出する引掛部３７が形成されて、回路遮断器  ８の上方より装着した際に、回路遮断器  ８の係止部３８に係合し、上方への外れが阻止される。
【００２７】
この立上片３６の上端は、水平片３１上面より突出させると共に立上片３６の上端近傍に貫通孔３９を形成している。また、立上片３６の内側、すなわち切溝３５の内側縁に水平片３１上面より立上る貫通孔４１を形成した止め片４０が形成されている。さらに、図７に示すように、立上片３６の上端の貫通孔３９及び止め片４０の貫通孔４１には封印線４２が挿通され、封印線４２の結線により立上片３６を内側に締めつけて、封印が行われる。
【００２８】
なお、本第２の実施の形態にあっても第１の実施の形態同様、中央の出力端子７ｃを塞いでいるが、その他の１つの出力端子を塞ぐものであっても良い。この場合、単相三線式交流電源の中性線  ３に電気的に接続された中央の出力端子７ｃが接続可能となるので、１００Ｖの電源が取れることとなる。また、蓋部材１６を隔壁２０に形成したスリット２０ａ  に差し込むようにしているが、直接出力端子７ｃに貼り付ける等、出力端子７ａ，７ｂ，７ｃのうちの１つを負荷線が接続不可能に塞げばよい。
【００２９】
次に、本発明の第３の実施の形態を図８及び図９に基づいて説明する。なお、第１の実施の形態及び第２の実施の形態と基本的機能が同様な部材については同じ符号を付している。このものは、第１及び第２の実施の形態との相違点は回路遮断器  ８であり、以下これについてのみ説明する。
【００３０】
すなわち、回路遮断器  ８は、第１の実施の形態や第２の実施の形態の回路遮断器  ８の代わりに配設されるものであって、図９に示すように、単相三線式交流電源の２つの電圧線  １，２と１つの中性線  ３とを接続する３つの入力端子４ａ，４ｂ，４ｃと、これらの３つの入力端子４ａ，４ｂ，４ｃのうちの両側の２つの入力端子  ４ａ，４ｂにハンドル１４で開閉駆動される接点  １５，１５を介して電気的に接続すると共に残りの中央の入力端子４ｃに電気的に非接続な３つの出力端子７ａ，７ｂ，７ｃとを有しており、中央の入力端子４ｃには、接点１５や異常電流検出装置１８等の部材を接続する必要がなくなり、部品点数を削減することができるようになっている。
【００３１】
この回路遮断器  ８は、接点  １５，１５をハンドル１４の操作により開閉・トリップ機構１７を介して開閉操作すると共に、接点  １５，１５が閉極状態で異常電流が流れると両側の入出力端子間に介在する異常電流検出装置  １８，１８で検出して開閉・トリップ機構１７を作用させて接点  １５，１５を強制開極する。なお、中央の入出力端子  ４ｃ，７ｃは電気的に非接続であるので、両側の出力端子  ７ａ，７ｂに負荷線  ５，６を接続することとなり、２００Ｖの交流電源が供給されることになる。
【００３２】
なお、本第３の実施の形態によれば、中央の入出力端子  ４ｃ，７ｃを電気的に非接続状態にしているが、その他の１組の入出力端子間を電気的に非接続状態にしてもよい。この場合、単相三線式交流電源の中性線  ３に電気的に接続された中央の出力端子７ｃが接続可能となるので、１００Ｖの電源が取れることとなる。また、この第３の実施の形態の回路遮断器  ８を使用すれば、単相三線式交流電源の電圧線  １，２と中性線  ３とを３つの出力端子７ａ，７ｂ，７ｃ側に接続し、負荷線  ５，６を入力端子４ａ，４ｂ  側に接続することもでき、逆接続が可能となる。さらに、本第３の実施の形態によれば、出力端子を３つ配設しているが、２つの入力端子に電気的に接続されるものであれば２つでもよい。この場合、上述した逆接続は不可能となるが、負荷線  ５，６を接続する出力端子を間違う恐れがなくなる。
【００３３】
【発明の効果】
請求項１記載の住宅用分電盤によれば、単相三線式交流電源の２つの電圧線及び１つの中性線を入力側に接続すると共に、負荷に接続される２つの負荷線を出力側に接続する回路遮断器と、この回路遮断器の入力側に送り線を介して入力側が電気的に接続される主幹開閉器と、この主幹開閉器の出力側に電気的に接続される分岐開閉器とを備えているので、回路遮断器の入力側に、単相三線式交流電源の２つの電圧線と１つの中性線とを直接接続すると共に、主幹開閉器の入力側に電気的に接続される送り線を直接接続することができ、端子台が不必要となるとともに１組の送り線のみで接続可能となり、小型化が図れる。また、主幹開閉器を取り替えるときには、入力側においては送り線のみ外したり接続したりするだけで行え、主幹開閉器の取替作業が容易に行える。
【００３４】
請求項２記載の住宅用分電盤によれば、請求項１のものの主幹開閉器の前段で送り線に入力側が接続されると共に主幹開閉器に出力側が電気的に接続される電流制限器を配設しているので、回路遮断器の入力側に、単相三線式交流電源の２つの電圧線と１つの中性線とを直接接続すると共に、電流制限器の入力側に電気的に接続される送り線を直接接続することができ、端子台が不必要となるとともに１組の送り線のみで接続可能となり、小型化が図れる。また、電流制限器を取り替えるときには、入力側においては送り線のみ外したり接続したりするだけで行え、電流制限器の取替作業が容易に行える。
【００３５】
請求項３記載の住宅用分電盤によれば、請求項２のものの回路遮断器の入力側に端子カバーを被せ、この端子カバーを封印しているので、回路遮断器の入力側に他の電線導体が接続不可能となり、請求項２記載の効果に加え、契約外の電気の使用を防ぐことができる。
【００３６】
請求項４記載の住宅用分電盤によれば、請求項１乃至請求項３のいずれかに記載の回路遮断器は、単相三線式交流電源の２つの電圧線と１つの中性線とを接続する３つの入力端子と、これらの３つの入力端子にハンドルで開閉駆動される接点を介して電気的に接続された３つの出力端子と、これら３つの出力端子のうちの１つを接続不可能に塞ぐ蓋部材とを有しているので、回路遮断器に負荷線を接続するための出力端子を間違えることが無くなり、請求項１乃至請求項３のいずれかに記載の効果に加え、回路遮断器に負荷線を接続する作業が容易となる。
【００３７】
請求項５記載の住宅用分電盤によれば、請求項１乃至請求項３のいずれかに記載の回路遮断器は、単相三線式交流電源の２つの電圧線と１つの中性線とを接続する３つの入力端子と、これらの３つの入力端子のうちの２つのみにハンドルで開閉駆動される接点を介して電気的に接続される出力端子とを有しているので、回路遮断器の３つの入力端子のうちの１つには、接点も他の部材も接続する必要がなくなり、請求項１乃至請求項３のいずれかに記載の効果に加え、回路遮断器内の部品点数を削減することができるという効果がある。
【図面の簡単な説明】
【図１】本発明の第１の実施の形態を示す正面図である。
【図２】図１のものの回路遮断器のカバー取り外し状態を示す正面図である。
【図３】図１のものの回路遮断器と蓋部材との分解斜視図である。
【図４】図１のものの回路遮断器に各電線導体を接続する説明図である。
【図５】本発明の第２の実施の形態を示す正面図である。
【図６】図５のものの回路遮断器と端子カバーとの分解斜視図である。
【図７】図６のものの回路遮断器に端子カバーを被せた状態を示す断面図である。
【図８】本発明の第３の実施の形態である回路遮断器のカバー取り外し状態を示す正面図である。
【図９】図８のものの回路遮断器に各電線導体を接続する説明図である。
【符号の説明】
１，２    単相三線式交流電源の電圧線
３    単相三線式交流電源の中性線
４    回路遮断器の入力側
５，６      負荷線
７    回路遮断器の出力側
１１    主幹開閉器
１３    分岐開閉器
【図１】
0003612889.tif 000002
【図２】
0003612889.tif 000003
【図３】
0003612889.tif 000004
【図４】
0003612889.tif 000005
【図５】
0003612889.tif 000006
【図６】
0003612889.tif 000007
【図７】
0003612889.tif 000008
【図８】
0003612889.tif 000009
【図９】
0003612889.tif 000010